(57)【要約】【課題】ロール状記録材料を包装箱から容易に取り出すことができ、またロール状記録材料を包装箱に収納する包装工程において容易に収納できる包装箱を提供することにある。【解決手段】収納部と蓋部が一枚の段ボールシートで一体的に成形されたロール状記録材料用包装箱であって、前記収納部がロール状記録材料を収納した状態で解体できることを特徴とするロール状記録材料用包装箱。【選択図】　図１
2004090977.tif 000002
【特許請求の範囲】
【請求項１】
収納部と蓋部が一枚の段ボールシートで一体的に形成されたロール状記録材料用包装箱であって、前記収納部がロール状記録材料を収納した状態で解体できることを特徴とするロール状記録材料用包装箱。
【請求項２】
前記収納部が、後面部（Ｃ）、底面部（Ｄ）、及び前面部（Ｅ）からなり、前記前面部（Ｅ）の左右両端にそれぞれ収納部の側面部内面を形成するフラップ（Ｅ１、Ｅ２）を有し、前記底面部（Ｄ）の左右両端にそれぞれ収納部の側面部外面を形成するフラップ（Ｄ１、Ｄ２）を有し、前記フラップ（Ｄ１、Ｄ２）はそれぞれ、上面の一部を形成するフラップ（Ｄ１１、Ｄ２１）と後面の一部を形成するフラップ（Ｄ１２、Ｄ２２）を有し、前記蓋部は上面部（Ｂ）及び前面部（Ａ）からなり、前記上面部（Ｂ）の左右両端にそれぞれ蓋部の側面部外面を形成するフラップ（Ｂ１、Ｂ２）と該フラップにそれぞれ連接した側面部内面を形成するフラップ（Ｂ１１、Ｂ２１）を有し、前記前面部（Ａ）の左右両端にそれぞれ蓋部側面部の中面を形成するフラップ（Ａ１、Ａ２）を有し、前記収納部の後面部（Ｃ）は前記蓋部の上面部（Ｂ）と連接されている請求項１に記載のロール状記録材料の包装箱。
【請求項３】
前記フラップ（Ｄ１１、Ｄ２１）と、前記前面部（Ｅ）とが直接的もしくは間接的に結合するための手段を有する請求項２に記載のロール状記録材料の包装箱
【請求項４】
前記フラップ（Ｅ１、Ｅ２）が突起片（１ａ、１ｂ）を有し、前記フラップ（Ｄ１１、Ｄ２１）が前記突起片を差し込むための切抜き部（２ａ、２ｂ）を有する請求項２または３に記載のロール状記録材料の包装箱。
【請求項５】
前記フラップ（Ｄ１１、Ｄ２１、Ｄ１２、Ｄ２２）が、フック状の継ぎ手（３ａ、３ｂ、４ａ、４ｂ）を有する請求項２に記載のロール状記録材料の包装箱。
【請求項６】
前記フラップ（Ｂ１）、（Ｂ１１）、（Ａ１）、（Ｄ１）、（Ｅ１）及び（Ｂ２）、（Ｂ２１）、（Ａ２）、（Ｄ２）、（Ｅ２）はそれぞれ指挿入口を形成するための切抜き及び／または切り込み線を有する請求項２に記載のロール状記録材料の包装箱。
【請求項７】
請求項１〜６のいずれか１つに記載の包装箱に、ロール状記録材料が宙吊り用部材で宙吊り状態で収納されたことを特徴とするロール状記録材料の包装体。
【請求項８】
前記ロール状記録材料が中空の巻き芯に巻かれたものであって、前記宙吊り用部材が前記巻き芯の中空部に挿入してロール状記録材料を保持する保持軸と該保持軸を固定する側板からなり、前記ロール状記録材料の両側面から、前記巻き芯の中空部に前記宙吊り用部材の保持軸を挿入して、前記ロール状記録材料を宙吊り状態で前記包装箱に収納する請求項７に記載のロール状記録材料の包装体。
【請求項９】
前記宙吊り用部材が、紙製の円筒形保持軸と、段ボール及び／または板紙で形成された厚み１０〜４０ｍｍの側板からなる請求項８に記載のロール状記録材料の包装体。
【請求項１０】
前記宙吊り用部材の側板が段ボールの外枠と該外枠の中に２枚以上の板紙と、該板紙と板紙との間に２枚以上の段ボールを有する請求項９に記載のロール状記録材料の包装体。
【請求項１１】
ロール状記録材料が宙吊り状態のままで包装箱を解体することができる請求項７に記載のロール状記録材料の包装体。
【発明の詳細な説明】
【０００１】
【発明の属する技術分野】
本発明は、感光材料、インクジェット記録材料、感熱紙、感圧紙のような記録材料の最終製品形態のひとつであるロール状物を収納する包装箱及びロール状物の包装体に関する。特に、ロール状物の収納作業性が向上し、かつ収納されたロール状物を宙吊り状態で容易に取り出すことができ、ロール状物を取り出した後も宙吊り状態のまま保管することができる包装体に関する。
【０００２】
【従来の技術】
一般に、巻芯に巻き付けたロール状記録材料は（以降、ロールと称す）は包装箱に収納された状態で保管又は輸送されて、最終ユーザーに配送される。包装箱には、様々な形態があるが、近年、ロールを収納する収納部と蓋部を一枚の段ボールで成形した包装箱が採用されている。例えば、実開平６−２１０４１号、特開平１１−３３８１０６号、特開２０００−１８５７２６号、特開２００１−３０１７４４号公報等に開示されている。
【０００３】
記録材料のロール製品には、幅寸法及び巻き長さの異なるいろんなサイズがあるが、特に、広幅で巻き長さも比較的長いロールは、包装箱の中でロールが移動すると、その重量によって記録面に傷等が発生すると言う問題が生じる。従って、包装箱内でロールが移動しないように収納する必要がある。このひとつの手段として、包装箱内でロールを宙吊り状態で収納する方法が知られている。例えば、ロールの巻き芯の中空部に宙吊り用の軸を挿入して、その軸を側板で保持すると言うような宙吊り部材が提案されている。例えば、特開平１０−１８１７８９号、特開２００１−１３９０８５号公報に宙吊り部材が開示されている。
【０００４】
前述したような従来の包装箱に比較的重量の大きなロールを収納した場合、最終ユーザーが包装箱からロールを容易に取り出せないという問題があった。特に宙吊り用部材を用いてロールを宙吊り状態で包装箱に収納した場合、益々取り出しにくくなっていた。また、ロール状物の包装体の製造工程において、包装箱にロールを収納するときの作業性が悪いという問題があった。
【０００５】
【発明が解決しようとする課題】
従って、本発明の目的は、ロールを包装箱から容易に取り出すことができ、またロールを包装箱に容易に収納できる包装箱を提供することにある。特に、ロールを宙吊り状態で容易に収納することができ、かつロールを宙吊り状態で収納したまま、容易に包装箱の収納部を解体することができ、更にロールを宙吊り状態のまま取り出すことができる包装体を提供することにある。
【０００６】
【課題を解決するための手段】
本発明の上記目的は、以下の発明によって基本的に達成された。
（１）収納部と蓋部が一枚の段ボールシートで一体的に成形されたロール状記録材料用包装箱であって、前記収納部がロール状記録材料を収納した状態で解体できることを特徴とするロール状記録材料用包装箱。
（２）前記包装箱に、ロール状記録材料が宙吊り用部材で宙吊り状態で収納されたことを特徴とするロール状記録材料の包装体。
【０００７】
【発明の実施の形態】
先ず、従来の包装箱について、図面を用いて具体的に説明する。図２は、従来の包装箱の展開図であり、一枚の段ボールシートを打ち抜きして成形したものである。この包装箱は、ロールを収納する収納部と蓋部が一枚の段ボールシートで一体的に形成されている。
【０００８】
図２において、Ｈ面とＩ面とが二重となって蓋部の前面部を構成する。すなわち、Ｈ面を手前側（内側）に折り込んで、Ｉ面と重ね合わせることにより、二枚重ねの蓋部の前面部となる。Ｊ面は蓋部の上面部となる。Ｋ面は収納部の後面部、Ｌ面は同底面部、Ｍ面とＮ面とは同前面部を構成し、蓋部の前面部と同様にＮ面を手前側（内側）に折り込んで、Ｍ面と重ね合わせることにより、二枚重ねの収納部の前面部を構成する。
【０００９】
Ｊ１　面とＪ１１面とが蓋部の左側面を構成し、Ｊ１１面を手前側（内側）に折り込んで、Ｊ１　面と重ね合わせることにより二枚重ねの蓋部左側面となる。同様にＪ２面とＪ２１面とが蓋部右側面を構成する。そしてＪ１２面とＪ２２面とは、蓋部前面部を構成するＨ面とＩ面の間に挿入され、蓋部の前面部と側面部を固定する。
【００１０】
Ｌ１　面とＬ１１面とが収納部の左側面を構成し、Ｌ１１面を手前側（内側）に折り込んで、Ｌ１　面とを重ね合わせることにより二枚重ねの収納部左側面とまり、同様にＬ２面とＬ２１面とが収納部右側面を構成する。Ｌ１２面とＬ２２面とは、収納部の前面部を構成するＭ面とＮ面の間に挿入され、収納部の側面部と前面部とを固定する。Ｋ１　面は収納部左側面（Ｌ１　面とＬ１１面との間）に、Ｋ２　面は収納部右側面（Ｌ２　面とＬ２１面との間）にそれぞれ挿入され、収納部の側面部と後面部とを固定する。
【００１１】
台形片１６ａ〜１６ｆは、それらを外側に折り込むことにより、Ｈ面、Ｎ面、Ｊ１１面、Ｊ２１面、Ｌ１１面、Ｌ２１面を容器の内側に折り込んで包装箱を組み立てたときに、それぞれの面（Ｈ面〜Ｌ２１面）が元に戻ろうとするのを防止して固定する役目を有する。
【００１２】
このように、図２に示す展開図を組み立てて成形した包装箱、即ち、収納部の前面部を形成するＭ面とＮ面の間にＬ１２面とＬ２２面を挿入して、左右の側面部と前面部を固定し、かつ左右の側面部を形成するＬ１１面とＬ２１面は内側に折り込まれているので、底面部（Ｌ面）上にロール（図示せず）が載っている状態で、収納部を解体することはできない。また、展開図の状態（蓋部のみは予め組み立てていてもよい）で、底面部（Ｌ面）にロールを載せた状態で収納部を組み立てることもできない。
【００１３】
従って、包装箱内でロールが動かないように固定状態（宙吊り状態）で収納された場合、収納部から重量の大きいロールを取り出すのは容易ではなかった。従って、本発明は、ロールを収納した状態で解体でき、かつ荷扱いや輸送等での包装体の落下や転倒にロールが耐え得る包装箱及び包装体を提案するものである。
【００１４】
以下、本発明の包装箱を詳細に説明する。本発明の包装箱は、前述したようにロールを収納した状態で解体（展開）できることを特徴とする。本発明の包装箱は１枚の段ボールシートを型抜き機等で型抜きされた段ボールシートを組み立てることによって成形される。図１に本発明の包装箱の一実施態様である展開図を示す。
【００１５】
図１において、ロールを収納する収納部は、後面部Ｃ、底面部Ｄ、前面部Ｅ、及び左右の側面部を形成するフラップ（Ｄ１、Ｄ２、Ｅ１、Ｅ２）からなる。蓋部は、上面部Ｂ、前面部Ａ、及び左右の側面部を形成する（Ｂ１、Ｂ１１、Ｂ２、Ｂ２１）からなり、上面部Ｂは前記収納部の後面部Ｃと連接している。蓋部及び収納部のそれぞれの前面部ＡとＥには、図示していないが、前面部を二枚重ねとするために図２に相当するＨ面とＮ面を連接することができる。
【００１６】
包装箱は、点線で示す折り曲げ罫線に沿って内側に折り込んで組み立てられる。この際、一重の点線は略９０度に折り曲げられ、二重の点線は略１８０度に折り込まれる。本発明の特徴は、収納部を形成する底面部Ｄ及び前面部Ｅの左右両端に連接されたフラップにある。即ち、前面部Ｅの左右両端には側面部の内面となるフラップＥ１及びＥ２が連接され、底面部Ｄの左右両端に連接されたフラップＤ１及びＤ２は側面部の外面を形成する。そして、フラップＤ１及びＤ２にそれぞれ連接されたフラップＤ１１及びＤ２１は、略９０度に折り込まれて上面の一部を形成する。更にフラップＤ１及びＤ２には、フラップＤ１２及びＤ２２がそれぞれ連接されており、該フラップは後面部Ｃの一部と内側で重なり合う。更にフラップＤ１１及びＤ２１には、前面部Ｅの一部と内側で重なり合うフラップＤ１３及びＤ２３が連接されている。このような構成にすることによって、ロールを収納した状態で収納部を解体（展開）することが可能になる。
【００１７】
本発明の更なる特徴は、収納部の解体を容易にすることによって生じる弊害、即ち、箱としての形態をある程度の強度を持って保持することが難しくなり、その結果収納されたロールの品質を維持することが難しくなるという問題を解決することにある。従来の包装方法は、包装箱の構造上、予め包装箱を組み立てておいて、その後にロールを収納するというのが一般的であったが、本発明の包装方法は、組み立てる前の段ボールシートの上（収納部の底面部Ｄの上）に、宙吊り用部材によって宙吊り状態にされたロールを載せた状態で収納部が組み立てられる。このとき、蓋部は、予め組み立てておいてもよいし、または収納部と同時もしくは後に組み立ててもよい。
【００１８】
宙吊り状態のロールを収納部の底面部Ｄに載せた状態で収納部を組み立てることを可能にすることは、即ち、ロールを収納部に収納した状態で解体することが可能となる。しかしながら、単に収納部の解体を可能にした場合、収納部が箱としての形態を維持することが難しくなり、蓋部を収納部にかぶせることができなくなる。従って、本発明の包装箱は、収納部が箱としての形態をある程度の強度を持って維持することができる構造にしてある。即ち、上面の一部を形成するフラップＤ１１及びＤ２１と、前面部Ｅとが直接的もしくは間接的に結合状態にあることが必要である。この結合のための方法は、接着剤や留め金等の外的な手段は用いずに、あくまでも包装箱を形成する一枚の段ボールシート内に接合手段が形成される。
【００１９】
前記結合状態にするための一つの手段として、前面部Ｅに連接されたフラップＥ１及びＥ２にそれぞれ突起片１ａ、１ｂを設け、フラップＤ１１及びＤ２１に前記突起片を差し込むための切抜き部２ａ、２ｂを設け、前記突起片を前記切抜き部に差し込むことによって、フラップＤ１１及びＤ２１と、前面部Ｅとが間接的に結合できる。これによって、収納部が箱としての形態を維持することが可能となり、蓋部を収納部にかぶせる作業が容易に行えるようになる。
【００２０】
更に、フラップＤ１１及びＤ１２及びフラップＤ２１とＤ２２を、それぞれ接着剤や留め金等の外的な手段は用いずに、包装箱を形成する一枚の段ボールシート内に形成された結合手段で結合するのが好ましい。この結合手段として、フラップＤ１１及びＤ１２にそれぞれフック状の継ぎ手３ａ、４ａを設け、収納部を組み立てたときにフック状の継ぎ手３ａと４ａが嵌入してフラップＤ１１とＤ１２が結合する。同様に、フラップＤ２１及びＤ２２にもそれぞれフック状の継ぎ手３ｂ、４ｂが設けられている。
【００２１】
前記したフック状の継ぎ手は、それぞれのフラップの先端に近い位置に設けるのが好ましく、このフック状の継ぎ手によるフラップＤ１１とＤ１２及びフラップＤ２１とＤ２２の先端付近での結合と、前述した突起片（１ａ、１ｂ）と切抜き部（２ａ、２ｂ）の結合位置が、フラップＤ１１及びＤ２２の根本付近（点線で示す折り曲げ罫線の近く）であることとの組み合わせで、フラップＤ１１及びＤ２１が反発して元に戻ろうとするのを有効に防止することができる。その結果、収納部の箱としての形態をある程度の強度を持って維持することが可能となり、蓋部を収納部にかぶせる作業が更に容易になる。
【００２２】
フラップＤ１１及びＤ２１には、更にフラップＤ１３及びＤ２３が連接されている。フラップＤ１３及びＤ２３を前面部Ｅと宙吊り部材で宙吊り状態のロールの間に挿入することによって、更にフラップＤ１１及びＤ２１の固定が強くなる。
【００２３】
次に、蓋部の組み立てについて説明する。上面部Ｂの左右両端にそれぞれ連接されたフラップＢ１及びＢ２は蓋部の側面部の外面を形成し、前記フラップＢ１及びＢ２にそれぞれ連接されたフラップＢ１１及びＢ２１は、略１８０度折り込まれて蓋部の側面部内面を形成する。フラップＢ１とＢ１１の連接部及びフラップＢ２とＢ２１の連接部には、折り込まれたフラップＢ１１とＢ２１の反発を抑えること及び折り曲げ位置が正確になるように、２本のミシン目の切り込み線７ａ、７ｂがそれぞれ段ボールシートの厚みより若干広い間隔で設けられている。
【００２４】
前記したフラップＢ１１とＢ２１を内側に折り込むときに、前面部Ａの左右両端に連接されたフラップＡ１及びＡ２は、それぞれフラップＢ１とＢ１１の間、フラップＢ２とＢ２１の間に挿入されて、蓋部の側面部の中面を形成するのと同時に、前面部Ａとそれぞれのフラップで形成された側面部とを固定する役目を成す。更に、フラップＢ１１及びＢ２１に設けられた突起片５ａ、５ｂが、前面部Ａの切抜き部６ａ、６ｂにそれぞれ差し込まれてフラップＢ１１及びＢ２１は固定される。
【００２５】
本発明が対象とする包装箱は、重量の大きいロールの収納に好ましく適用される。例えば、重量が５Ｋｇ以上、更には７Ｋｇ以上のロールを収納するための包装箱として好適である。このような重量の大きいロールが収納された包装箱を簡単に持ち運びができるようにするために、少なくとも２本の指が挿入できる程度の大きさの指挿入口を蓋部及び収納部の側面部に設けるのが好ましい。前記指挿入口の大きさは３本以上の指が挿入できる程度の大きさが好ましく、横方向の寸法は４〜７ｃｍで縦方向の寸法は１．５〜４ｃｍの大きさの矩形もしくは楕円形であるのが好ましい。
【００２６】
前記指挿入口の形成は、収納部及び蓋部の側面部を形成するフラップの全部もしくは一部に、切り抜き及び／または切り込み線の形で設けられる。好ましくは、側面部を形成するフラップの全てに指挿入口のための切り抜き及び／または切り込み線を設けるのが好ましい。即ち、蓋部の側面部を形成するフラップの外側から順に、フラップＢ１に切抜き部１１ａ、フラップＡ１に切抜き部１２ａ、及びフラップＢ１１に切抜き部１３ａが設けられており、蓋部を組み立てたときにはこれらの切抜き部は一体となって指挿入口を形成する。同様に、フラップＢ２に切抜き部１１ｂ、フラップＡ２に切抜き部１２ｂ、及びフラップＢ２１に切抜き部１３ｂが設けられている。
【００２７】
更に、収納部の側面部を形成するフラップにも、指挿入口を形成するための切り抜き及び／または切り込み線を設けるのが好ましい。本実施例では、図１に示すように、収納部の側面部形成するフラップＤ１及びＤ２にそれぞれ切抜き部１４ａ及び１４ｂ、フラップＥ１及びＥ２に矩形の３辺の切り込み線が設けられており、包装箱を組み立てたときに、蓋部の側面部の切抜き部と一体となって指挿入口を形成する。
【００２８】
指挿入口を形成するための切抜き部は、それぞれ同一の形状に切り抜かれていてもよいが、最も外側の側面部を形成するフラップＢ１及びＢ２には、他のフラップより小さい切抜き部１１ａ及び１１ｂと切り込み線との組み合わせで指挿入口が形成されており、点線から内側に折り曲げられるようになっている。前記点線で内側に折り曲げられて形成された指挿入口の大きさは、他のフラップの指挿入口のための切り抜き部の大きさとほぼ同じになるように設計されている。包装箱の最も外側の側面部を形成するフラップＢ１及びＢ２の指挿入口を前記のようにして形成することによって、比較的鋭利な段ボールの切断面からの指への圧力が軽減され、かつ、最外側の切り抜き部の面積が小さいのでゴミの進入を防止することができる。
【００２９】
前述したように、包装箱として側面部の最も内側を形成するフラップＥ１及びＥ２にも、指挿入口を形成するのが好ましいが、該フラップにおいては、切り込み線のみで指挿入口を形成しておき、その部分を指で押し込んで指挿入口を形成するのが好ましい。この場合は、図１に示すように指挿入口のための切り込み線１５ａ及び１５ｂは、矩形の３辺に切り込み線が入れられ、指で押し込んだときに包装はこの中に断片が残らないようにしている。また、切り込み線のみで形成することによって、外部と遮断されるので光り及びゴミの進入が防止できる。
【００３０】
次に、本発明の包装箱を用いたロールの包装体について説明する。本発明の包装体は、前記した本発明の包装箱に宙吊り用部材を用いてロールを宙吊り状態で収納する。ロール状記録材料は、通常、中空の巻き芯に巻かれており、本発明に用いられる宙吊り部用材は、ロールの巻き芯の中空部に挿入してロールを宙吊り状態に保持する保持軸と、該保持軸を固定する側板から構成される宙吊り用部材である。本発明の宙吊り用部材は、紙製である。
【００３１】
本発明に用いられる宙吊り用部材の側面図を図３、側断面図を図４、図３のＺ方向から見た平面図を図５に示す。宙吊り用部材３０は、円筒形の保持軸３１が、側板３２のほぼ中央の円形の切り抜き部に挿入されて接着剤等で固定されて成形されている。このとき、保持軸３１は、側板３２の後面３２ａからはみ出さないように固定される。保持軸３１は、ロール状記録材料の巻き芯に用いられているような円筒形の紙製巻き芯が用いられ、側板３２は、段ボールもしくは板紙、または段ボールと板紙を組み合わせた材料で成形されている。側板３２の好ましい構成は、外枠を段ボールで形成し、外枠の中に、板紙と段ボールをそれぞれ２枚以上配置したものであり、より好ましくは、板紙と板紙の間に２枚以上の段ボールを配置したものである。この構成の側板を用いることによって、後述する包装箱の補強及び安定した強固なロールの宙吊り状態が実現できる。
【００３２】
前記した側板の好ましい構成について、図４を用いて詳細に説明する。側板は、段ボールの外枠４１の中の両端にそれぞれ２枚の板紙４２と、２枚の板紙４２の間に２枚以上の段ボール４３が配置されている。この段ボール４３の枚数は、３枚以上が好ましく、更に４枚以上が好ましい。後述するように、側板の厚みＬ（図３）が、１０〜４０ｍｍ、好ましくは１５〜４０ｍｍになるように、板紙４２及び断ボール４３の枚数が調整される。
【００３３】
本発明の包装体において、宙吊り用部材はロールの巻き芯に両側から差し込んで、ロールと一体になって収納部の中に収納される。このとき、宙吊り用部材と収納部の側面部とは隙間なく収納される。即ち、図３の後面３２ａと収納部の側面部との間には隙間が生じない。このような梱包体は、荷扱いや輸送時に包装箱の中でロールを動きにくくする効果がある。その反面、包装箱から重量の大きいロールを取り出すのは容易ではない。この問題を解決するために、前述した本発明の包装箱が用いられる。
【００３４】
従って、本発明の包装体は、ロールを宙吊り用部材で宙吊りにした状態で、包装箱が組み立てられ、かつ解体することを可能にしたことが最大の特徴である。しかしながら、前述したように包装箱の強度が得られにくいこと、及び輸送や取り扱い時にロールと包装箱の間でがたつきが生じて宙吊り状態が保持できなくなることによって、ロールに損傷を与えると言う問題があり、本発明の包装体は、宙吊り用部材で包装箱の補強を行い、包装箱が多少変形してもロールを宙吊り状態に保持できることを目的の１つとするものである。かかる目的は、図３、４、５に示す宙吊り用部材を用いることによって達成される。
【００３５】
本発明に用いられる宙吊り用部材は、前述したように包装箱の補強、及び安定した強固な宙吊り状態を保持するという役目がある。ロールを安定した強固な宙吊り状態に保持することによって、ロールを宙吊り状態で包装箱を組み立てる作業、及び宙吊り状態で包装箱を解体する作業がやりやすくなり、更にはロールを宙吊り状態で包装箱から取り出した後、宙吊り状態で保管することが可能となる。
【００３６】
包装箱の補強及びロールを安定した強固な宙吊り状態に保持するためには、前述したような側板の構成にするのがこのましく、図３に示す側板の厚みＬは、１０〜４０ｍｍが好ましく、１５〜４０ｍｍにするのがより好ましい。
【００３７】
また、本発明に用いられる宙吊り用部材は、図４、図５に示すように中央の中空部３３は宙吊り用部材を貫通しており、前述の最内側のフラップＥ１及びＥ２に設けられた指挿入口を切り込み線のみで形成することが可能となり、包装箱内への光り及びゴミの進入を防止することができる。即ち、最内側のフラップＥ１及びＥ２に設けられた指挿入口のための切り込み線に沿って押し込まれた部分は宙吊り用部材の中空部に入いるようになっている。
【００３８】
【発明の効果】
本発明の包装箱および包装体は、比較的重量の大きなロールであっても、包装箱から容易に取り出すことができ、ロールを取り出した後も宙吊り状態での保管が可能となり、また、ロールを包装箱に収納する包装工程でもロールの収納作業が容易になる。また、本発明の包装箱は、側面部に指を挿入するための指挿入口を設けたので、持ち運びが容易になる。
【図面の簡単な説明】
【図１】本発明の包装箱の展開図
【図２】従来の一般的な包装箱の展開図
【図３】本発明の宙吊り用部材の側面図
【図４】本発明の宙吊り用部材の側断面図
【図５】本発明の宙吊り用部材の平面図
【符号の説明】
Ａ　蓋部の前面部
Ｂ　蓋部の上面部
Ｃ　収納部の後面部
Ｄ　収納部の底面部
Ｅ　収納部の前面部
３０　宙吊り用部材
３１　保持軸
３２　側板
【図１】
2004090977.tif 000003
【図２】
2004090977.tif 000004
【図３】
2004090977.tif 000005
【図４】
2004090977.tif 000006
【図５】
2004090977.tif 000007